(57)【要約】【課題】読み取った媒体の表面の画像から裏写り画像を除去する画像読取装置を提供する。【解決手段】光の反射率が高い色の領域（高反射部）と、高反射部より光の反射率が低い色の領域（低反射部）とを備える背面部が媒体の裏面に位置することで、低反射部が背景となる媒体の表面の領域にて裏写り画像を作り出す。読み取った媒体の読取画像データを画像データ記憶部１５から取得した補正値取得部１６は、高反射部が背景となる領域の明度最高値（高反射明度基準値）と、この低反射部が背景となる領域から裏写り画像の明度値（低反射明度基準値）とを取得する。画像データ補正部１７は、低反射明度基準値以上の画素を読取画像データから抽出し、その画素の明度値を、高反射明度基準値に変更する。【選択図】図５
2011119955.tif 000002
【特許請求の範囲】
【請求項１】
光を透過し裏写りする媒体の裏面に位置する背面部と、前記媒体の表面の画像を読み取る読取部とを備える画像読取装置であって、
前記背面部は、光の反射率が高い領域である高反射部と、前記高反射部より光の反射率が低い領域である低反射部とを備え、
前記読取部が出力する画像データから、前記高反射部が背景となる領域の高反射領域画像データを抽出し、前記低反射部が背景となる領域の低反射領域画像データを抽出する反射領域抽出部と、
前記高反射領域画像データおよび前記低反射領域画像データのそれぞれから最高の明度値を抽出する特徴抽出部と、
前記低反射領域画像データから抽出した最高の明度値以上の明度値の画素を前記画像データから抽出し、その画素の明度値を、前記高反射領域画像データから抽出した最高の明度値に変更する画像データ補正部と
を備えることを特徴とする画像読取装置。
【請求項２】
光を透過し裏写りする媒体の裏面に位置する背面部と、前記媒体の表面の画像を読み取る読取部とを備える画像読取装置であって、
前記背面部は、光の反射率が高い領域である高反射部と、前記高反射部より光の反射率が低い領域である低反射部とを備え、
前記読取部が出力する画像データから、前記高反射部が背景となる領域の高反射領域画像データを複数箇所から抽出し、前記低反射部が背景となる領域の低反射領域画像データを複数箇所から抽出する反射領域抽出部と、
前記高反射領域画像データおよび前記低反射領域画像データのそれぞれから最高の明度値を抽出する色特徴値抽出部と、
前記媒体の両面が無地かつ前記高反射部が背景となる領域で抽出されうるキー明度値群と、前記キー明度値それぞれに対して設定された裏写りとされる明度値の範囲である低反射許容範囲とを関連付けて予め記憶されている低反射許容範囲記憶部と、
前記色特徴値抽出部が前記高反射領域画像データそれぞれから抽出した高反射明度最高値群の中から最高の明度値である高反射明度基準値を抽出する高反射明度基準値抽出部と、
前記低反射許容範囲記憶部から、前記高反射明度基準値と一致する前記キー明度値に関連付けられた前記低反射許容範囲を取得し、前記色特徴値抽出部が前記低反射領域画像データそれぞれから抽出した低反射明度最高値群の中から、前記取得した前記低反射許容範囲内の明度値であり、かつ、最低の明度値である低反射明度基準値を抽出する低反射明度基準値抽出部と、
前記画像データから前記低反射明度基準値以上の明度値の画素を抽出し、その画素の明度値を前記高反射明度基準値に変更する画像データ補正部と
を備えることを特徴とする画像読取装置。
【請求項３】
前記低反射明度基準値抽出部は、前記低反射明度最高値群から、前記低反射許容範囲内の明度値を抽出できなかった場合、または、最低の明度値である前記低反射明度最高値を抽出できなかった場合に、
前記反射領域抽出部が取得した画像データを取得し、前記画像データから最高の明度値である全域明度最高値を抽出する画像データ全域色特徴値抽出部と、
所定の方法で、前記全域明度最高値に基づき、低反射明度基準値を取得し、前記全域明度最高値と、前記低反射明度基準値とを前記画像データ補正部に出力する補正値推定部と
を備えることを特徴とする請求項２に記載された画像読取装置。
【請求項４】
前記媒体の両面が無地かつ前記高反射部が背景となる領域で抽出されうる条件明度値群と、前記条件明度値に対して設定された裏写りとされる明度値とを関連付けて予め記憶されている条件記憶部をさらに備え、
前記所定の方法は、前記条件記憶部から前記全域明度最高値と一致する前記条件明度値に関連付けられた明度値を取得することを特徴とする請求項３に記載された画像読取装置。
【請求項５】
前記低反射許容範囲記憶部に記憶された前記低反射許容範囲の明度値は、前記キー明度値が低くなるにつれて前記低反射許容範囲の明度値も低く設定され、前記キー明度値が高くなるにつれて前記低反射許容範囲の明度値も高く設定されることを特徴とする請求項２ないし請求項４のいずれか１項に記載された画像読取装置。
【請求項６】
前記媒体に形成された画像の明度値は、前記高反射部の明度値より低く、かつ、前記低反射部の明度値以上であることを特徴とする請求項１または請求項２に記載された画像読取装置。
【請求項７】
光を透過し裏写りする媒体の裏面に位置する背面部と、前記媒体の表面の画像をＲＧＢ信号成分に分けて読み取る読取部とを備える画像読取装置であって、
前記背面部は、光の反射率が高い領域である高反射部と、前記高反射部より光の反射率が低い領域である低反射部とを備え、
前記読取部が出力する各成分の成分画像データから、前記高反射部が背景となる領域の高反射領域成分画像データを複数箇所から抽出し、前記低反射部が背景となる領域の低反射領域成分画像データを複数箇所から抽出する反射領域抽出部と、
前記高反射領域成分画像データおよび前記低反射領域成分画像データのそれぞれから最高の成分検出値を抽出する成分値抽出部と、
前記媒体の両面が無地かつ前記高反射部が背景となる領域で抽出されうるキー成分値群と、前記キー成分値それぞれに対して設定された裏写りとされる成分値の範囲である低反射成分許容範囲とを関連付けて予め記憶されている低反射成分許容範囲記憶部と、
前記成分値抽出部が前記高反射領域成分画像データそれぞれから抽出した高反射成分最高値群の中から最高の成分値である高反射成分基準値を抽出する高反射成分基準値抽出部と、
前記低反射成分許容範囲記憶部から、前記高反射成分基準値と一致する前記キー成分値に関連付けられた前記低反射成分許容範囲を取得し、前記成分値抽出部が前記低反射領域成分画像データそれぞれから抽出した低反射成分最高値群の中から、前記取得した前記低反射成分許容範囲内の成分値であり、かつ、最低の成分値である低反射成分基準値を抽出する低反射成分基準値抽出部と
前記読取部が出力するＲ成分画像データから前記高反射成分基準値抽出部が抽出した高反射Ｒ成分基準値と、前記読取部が出力するＧ成分画像データから前記高反射成分基準値抽出部が抽出した高反射Ｇ成分基準値と、前記読取部が出力するＢ成分画像データから前記高反射成分基準値抽出部が抽出した高反射Ｂ成分基準値との３つの値を組み合わせて一組の高反射明度基準値を取得し、
前記読取部が出力するＲ成分画像データから前記低反射成分基準値抽出部が抽出した低反射Ｒ成分基準値と、前記読取部が出力するＧ成分画像データから前記低反射成分基準値抽出部が抽出した低反射Ｇ成分基準値と、前記読取部が出力するＢ成分画像データから前記低反射成分基準値抽出部が抽出した低反射Ｂ成分基準値との３つの値を組み合わせて一組の低反射明度基準値をさらに取得する補正値決定部と、
前記読取部が出力する各成分の成分画像データを組み合わせた画像データから、前記低反射明度基準値以上の明度値の画素を抽出し、その画素の明度値を前記高反射明度基準値に変更する画像データ補正部と
を備えることを特徴とする画像読取装置。
【発明の詳細な説明】
【技術分野】
【０００１】
本発明は、画像読取装置に関し、特に、原稿を読み取って画像データを生成する画像読取装置に関する。
【背景技術】
【０００２】
従来、画像読取装置は、原稿の読み取りたい面を下にして、原稿載置台上に置かれ、原稿カバーで原稿を覆った後、読み取り面を画像データ化した。
ここで、透過性の高い材質であって、両面に画像が形成されている原稿の表面を下にして読み取らせた場合、画像読取装置は裏面の画像も一緒に読み取ってしまう。そのため、表面を読み取らせたにもかかわらず、裏面の画像も表面に写った（裏写りした）画像データが生成されていた。
【０００３】
そこで、特許文献１の画像読取装置は、表面に写った裏面の画像（裏写り画像）の濃度が、読み取り面（表面）の画像の濃度より低くなることに注目し、一旦原稿を読み取って（プレスキャンして）、原稿の濃度と透過光量との双方を検出し、読み取り時の濃度設定を補正してから再度原稿を読み取る技術が開示されている。
この特許文献１の画像読取装置は、原稿の濃度を検出するための文字濃度検知センサと、原稿の透過光量を検出するための紙質検知センサとの双方を備える。そして、文字濃度検知センサが濃度データ、紙質検知センサが透過光量データをニューロＩＣに出力し、ニューロＩＣで複雑な処理が行われて、画像を読み取る濃度を、裏面の画像が表面に写らない（裏写りしない）濃度に調整し、画像を読み取る。これにより、特許文献１の画像読取装置は、表面の画像から裏写り画像を除去することができる。
【先行技術文献】
【特許文献】
【０００４】
【特許文献１】特開平５−５６２５７号公報（段落［００１０］〜［００２１］）
【発明の概要】
【発明が解決しようとする課題】
【０００５】
しかしながら、従来の画像読取装置（特許文献１）は、裏写り画像を除去するために、原稿の濃度を検出するための濃度検出部（文字濃度検知センサ）と、原稿（媒体）の透過光量を検出するための透過光量検出部（紙質検知センサ）との双方を設ける必要があった。
特に、透過光量検出部は、裏写り画像を除去するためだけに設けられたものであり、コストアップとなるという問題があった。
さらに、透過光量検出部からの透過光量データと、濃度検出部からの濃度データとの処理が複雑になるという問題があった。
【０００６】
本発明は、以上のような問題を解決するためになされたものであり、読み取った媒体の表面の画像から裏写り画像を除去する画像読取装置を提供することを課題とする。
【課題を解決するための手段】
【０００７】
前記課題を解決するために、本発明の画像読取装置は、光を透過し裏写りする媒体の裏面に位置する背面部と、前記媒体の表面の画像を読み取る読取部とを備える画像読取装置であって、前記背面部は高反射部と低反射部とを備え、前記読取部が出力する画像データから高反射領域画像データと低反射領域画像データを抽出する反射領域抽出部と、最高の明度値を抽出する特徴抽出部と、前記低反射領域画像データから抽出した最高の明度値以上の明度値の画素を前記画像データから抽出し、その画素の明度値を、前記高反射領域画像データから抽出した最高の明度値に変更する画像データ補正部とを備える構成とした。
【発明の効果】
【０００８】
本発明によれば、光の反射率が高い色の領域（高反射部）と、高反射部より光の反射率が低い色の領域（低反射部）とを備える背面部で媒体の裏面に位置することで、低反射部が背景となる媒体の表面の領域にて裏写り画像を作り出すことができる。
そして、この低反射部が背景となる領域の明度値以上の画素を媒体の表面を読み取った読取画像データから抽出し、その画素の明度値を、高反射部が背景となる領域の明度最高値に変更することで、裏写り画像を除去することができる。
【０００９】
そのため、原稿の透過光量を検出する手段を備える必要がなく、コストパフォーマンスがよくなる。
また、前記した背面部を備えることで、原稿を読み取って生成した読取画像データから、裏写り画像を簡単に抽出することができるため、複雑な処理を行う必要がない。
【図面の簡単な説明】
【００１０】
【図１】本発明に係る画像読取装置と、背面部材に形成される高反射部と低反射部の配置パターンの一例とを示す図である。
【図２】本発明に係る画像読取装置のブロック図である。
【図３】（ａ）背面部材と原稿との位置関係を示す図である。（ｂ）枠Ｐ内の原稿の表面の図形のみを示す図である。（ｃ）枠Ｐ内の原稿の裏面の図形のみを示す図である。（ｄ）枠Ｐ内の原稿の表面で裏面の図形が裏写りする原稿を示す図である。
【図４】（ａ）枠Ｐ内の背面部材の高反射部と高反射領域との位置関係および低反射部と低反射領域との位置関係を示す図である。（ｂ）枠Ｐ内にて、表面で裏面の図形が裏写りする原稿と、高反射領域および低反射領域との位置関係を示す図である。（ｃ）高反射領域内の画像データ（高反射領域画像データ）を示す図である。（ｄ）低反射領域内の画像データ（低反射領域画像データ）を示す図である。
【図５】第１の実施形態に係る補正値取得部のブロック図である。
【図６】第１の実施形態に係る補正値取得部の動作のフローチャートである。
【図７】図６に続く第１の実施形態に係る補正値取得部の動作のフローチャートである。
【図８】第２の実施形態に係る補正値取得部のブロック図である。
【図９】第２の実施形態に係る補正値取得部の動作のフローチャートである。
【図１０】本発明に係る背面部材（ローラ）と媒体読取部との別の配設関係を示す図である。
【図１１】本発明に係る背面部材（天板）と媒体読取部との別の配設関係を示す図である。
【発明を実施するための形態】
【００１１】
まず、本発明の実施形態に係る画像読取装置について説明する。
図１および図２に示すように、画像読取装置１は、紙などの媒体（原稿２）が載置される媒体載置台１１と、その媒体載置台１１を覆い、原稿２の裏面に位置する背面部材１２（原稿カバー）と、原稿２の表面を読み取ってデータ化する媒体読取部１３（読取部１９）と、そのデータから読取画像データを生成する画像データ生成部１４（読取部１９）と、読取画像データを記憶する画像データ記憶部１５（読取部１９）と、読取画像データから裏写り画像を除去するための補正値を取得する補正値取得部１６と、その補正値で読取画像データを補正処理する画像データ補正部１７と、読取画像データを外部に出力する前に出力先の機器（不図示）に適したデータに変換する画像データ出力部１８とを備える。
そして、画像読取装置１は、ＬＡＮやＵＳＢなどのネットワークで接続された不図示の出力先の機器（コンピュータやプリンタなど）に、読取画像データを出力したり、不図示の画像形成装置と接続し、読取画像データを紙などの記録媒体に印刷させる。
【００１２】
なお、画像読取装置１は、図示を省略したＣＰＵ（Central Processing Unit）、ＲＯＭ（Read Only Memory）、ＲＡＭ（Random Access Memory）、ＨＤＤ（Hard Disc Drive）などを備えた一般的なコンピュータで構成することができる。
【００１３】
［原稿２］
原稿２は、光を透過する媒体であり、例えば、紙やプラスチック、ビニール製品などである。そのため、原稿２の一面（裏面）に形成された（印刷された）文字や図形、画像などが、その面の裏側（表面）にて透けて見える（裏写りする）。
【００１４】
ここで、原稿２の一部における「裏写り」について図３を参照して説明する。
原稿２の表面には図３（ｂ）に示す図形が印刷され、その裏面には図３（ｃ）に示す図形が印刷されている。両面が印刷された原稿２の表面では、図３（ｄ）に示すように、裏面に印刷された図形が裏写りする。表面に印刷された図形（Ｌ１およびＬ２）の他に、裏面に印刷された図形Ｌ３が裏写りする。このとき、図形Ｌ３の明度値は、図形Ｌ１の明度値や図形Ｌ２の明度値より低い。
図３において、明度値を表現するために、明度値が低い図形（図形Ｌ１および図形Ｌ２）を目の細かいドットハッチングで示し、それらより明度値が高い図形（裏写りした図形Ｌ３）を目の粗いドットハッチングで示し、さらに明度値が高い図形（図形Ｌ４）をハッチングなしで示す。
【００１５】
［媒体載置台１１］
媒体載置台１１は、光を透過する素材で構成され、原稿２が載置される台であり、例えば、ガラスやプラスチックなど光の透過率が高い素材で構成される。
【００１６】
［背面部材１２］
背面部材１２は、反射率の高い色（高反射Ｗ）が全面に塗られた高反射部１２Ｗと、その高反射部１２Ｗ上に複数の領域が形成され、その領域内が反射率の低い色（低反射Ｋ）で塗られた低反射部１２Ｋ（１２Ｋ1，１２Ｋ2，１２Ｋ3，・・・）とを備える。
ここで、背面部材１２に形成される低反射部１２Ｋは、図１に示すように、規則的に配置されていてもよいし、不規則（ランダム）に配置されていてもよい。また、高反射部１２Ｗおよび低反射部１２Ｋは、チェッカーボードやストライプ状に配置されていてもよく、領域の大きさや形も自由に形成されてよい。
【００１７】
ここで、前記高反射Ｗは、その明度値が、原稿２に形成された図形の色の明度値より高く、例えば、「白色」であることが望ましい。また、前記低反射Ｋは、その明度値が、原稿２に形成された図形の色の明度値以下であり、例えば、「黒色」であることが望ましい。
これにより、背面部材１２が原稿２の裏面と接触することにより、原稿２の表面には、原稿２の裏面の図形の色と、背面部材１２の低反射Ｋとが裏写りする。
ここで、背面部材１２は、原稿２の裏面と密着することが望ましい。また、この状態のときに、原稿２は、媒体読取部１３に読み取られることがことが望ましい。
【００１８】
以上に示す構成により、ユーザが、読み取らせたい原稿２の面（表面）を下にし、原稿２の表面と媒体載置台１１とを当接させて載置し、背面部材１２で覆う。これにより、原稿２の裏面と背面部材１２とが密着する。
【００１９】
［媒体読取部１３］
媒体読取部１３は、媒体載置台１１を覆った背面部材１２と対向する位置に設けられ、媒体載置台１１に載置された原稿２の表面を、光学式撮像装置で読み取る読取部である。例えば、ＣＣＤ（Charge Coupled Device）イメージセンサなどの光学式撮像装置や、ＬＥＤ（Light Emitting Diode：発光ダイオード）などの光源などを備えて構成される。
そして、媒体読取部１３は、原稿２を読み取った読取データを、画像データ生成部１４に出力する。
【００２０】
［画像データ生成部１４］
画像データ生成部１４は、原稿２の読取データを画像データ化する生成部である。
そして、画像データ生成部１４は生成した読取画像データに個別の識別子を付与して、画像データ記憶部１５に記憶させる。ここで、識別子とは、読取画像データを一つに特定できる番号や記号である。
ここで、画像データ生成部１４は、Ａ／Ｄ変換やシェーディング補正、γ補正などの公知のデータ処理を読取画像データに行い、その読取画像データを画像データ記憶部１５に記憶させる。
【００２１】
［画像データ記憶部１５］
画像データ記憶部１５は、画像データ生成部１４から取得した読取画像データが、その読取画像データに付与された識別子で整理されて記憶される記憶部である。
【００２２】
［補正値取得部１６］
補正値取得部１６は、画像データ記憶部１５から読取画像データを一つ取得し、その読取画像データから、裏写りのない原稿２の両面が無地の画素の明度値（高反射明度基準値）と、裏写りした画素の明度値（低反射明度基準値）と、読取画像データの識別子とを取得する取得部である。
詳細な説明は、後記する。
【００２３】
［画像データ補正部１７］
画像データ補正部１７は、補正値取得部１６から、裏写りのない原稿２の両面が無地の画素の明度値（高反射明度基準値）と、裏写りした画素の明度値（低反射明度基準値）と、読取画像データの識別子とを取得し、その識別子で特定される読取画像データを画像データ記憶部１５から取得し、読取画像データを構成する画素のうち、低反射明度基準値より大きい明度値の画素を抽出し、その画素の明度値を所定の明度値に変更する補正部である。
ここで、前記所定の明度値は、補正値取得部１６から取得した高反射明度基準値であることが望ましい。
当該処理により、画像データ補正部１７は、読取画像データから裏写り画像を除去することができる。
【００２４】
［画像データ出力部１８］
画像データ出力部１８は、画像データ補正部１７から裏写り画像除去後の読取画像データを取得し、画像読取装置１と接続された読取画像データ出力先の機器（不図示）に適したデータに変換してから、出力先の機器に出力する処理部である。
例えば、画像データ出力部１８は、読取画像データに対して階調補正やＪＰＥＧ（Joint Photographic Experts Group）圧縮、２値化などの公知のデータ処理を行う。出力先の機器がコンピュータであれば、階調補正やＪＰＥＧ圧縮などの処理を行い、プリンタであれば、２値化処理を行う。
【００２５】
＜第１の実施形態＞
ここで、図５を参照して、第１の実施形態に係る補正値取得部１６について説明する（適宜、図１ないし図４を参照）。
図５に示すように、補正値取得部１６は、反射領域抽出部２１と、色特徴値抽出部２２（特徴抽出部２８）と、高反射許容範囲記憶部２３（特徴抽出部２８）と、低反射許容範囲記憶部２４（特徴抽出部２８）と、明度基準値抽出部２５（特徴抽出部２８）と、画像データ全域色特徴値抽出部２６（特徴抽出部２８）と、補正値推定部２７（特徴抽出部２８）とを備え、画像データ記憶部１５に記憶された読取画像データから裏写り画像を除去するための補正値を取得し、その補正値を画像データ補正部１７に出力する処理部である。
【００２６】
［反射領域抽出部２１］
反射領域抽出部２１は、画像データ記憶部１５から読取画像データを取得し、背景が反射率の高い色（高反射部１２Ｗ）の領域（高反射領域２１Ｗ）内の画像データ（高反射領域画像データ２１ＷＤ）と、背景が反射率の低い色（低反射部１２Ｋ）の領域（低反射領域２１Ｋ）内の画像データ（低反射領域画像データ２１ＫＤ）とを抽出する処理部であり、高反射領域抽出部２１１と低反射領域抽出部２１２とを備える。
反射領域抽出部２１は、画像データ記憶部１５から読取画像データを取得したときに、その読取画像データの識別子も取得する。
【００２７】
まず、低反射領域抽出部２１２について説明する。
低反射領域抽出部２１２には、媒体載置台１１が背面部材１２で覆われたときの、背面部材１２の低反射で塗られた領域（低反射部１２Ｋ）が複数設けられ、その低反射部１２Ｋ（低反射領域２１Ｋ）それぞれの位置が予め座標などの位置データで設定されている。低反射領域抽出部２１２は、この位置データを用いて読取画像データから、低反射領域２１Ｋ内の画像データ（低反射領域画像データ２１ＫＤ）を抽出する。
同様に、高反射領域抽出部２１１には、媒体載置台１１が背面部材１２で覆われたときの、背面部材１２の高反射で塗られた箇所において、所定の大きさの領域（高反射部１２Ｗ）が複数設けられ、その高反射部１２Ｗ（高反射領域２１Ｗ）それぞれの位置データが予め設定されている。高反射領域抽出部２１１は、この位置データを用いて読取画像データから、高反射領域２１Ｗ内の画像データ（高反射領域画像データ２１ＷＤ）を抽出する。
【００２８】
この位置データは、例えば、読取画像データの任意の点を原点とした相対的なｘｙ座標平面が形成され、そのｘｙ座標平面上の座標データであってもよい。また、背面部材１２の任意の位置にマーカーを付け、そのマーカーの座標位置を原点とした相対的なｘｙ座標平面が設定されていてもよい。これにより、読取画像データからマーカーを抽出することで、高反射領域抽出部２１１は高反射領域画像データ２１ＷＤを、低反射領域抽出部２１２は低反射領域画像データ２１ＫＤを抽出することができる。
【００２９】
（実施例）
図３（ａ）に示す背面部材１２の一部（図４（ａ））にて、高反射領域抽出部２１１には、背面部材１２の高反射部１２Ｗ（白色）を領域とする（太破線枠で示す）高反射領域２１Ｗ2の位置が予め位置データとして設定され、低反射領域抽出部２１２には、背面部材１２の低反射部１２Ｋ2（黒色）を領域とする（太破線枠で示す）低反射領域２１Ｋ2の位置が予め位置データとして設定されている。
【００３０】
その背面部材１２の一部（図４（ａ））に覆われ、媒体載置台１１に載置された図３（ａ）に示す原稿２の一部（図３（ｄ））が、媒体読取部１３に読み取られ、図４（ｂ）に示す読取画像データが生成される。
高反射領域抽出部２１１は、その読取画像データから高反射領域２１Ｗ2（図４（ａ））内の画像データを抽出する。これにより、図４（ｃ）に示す高反射領域画像データ２１ＷＤ2が抽出される。
一方、低反射領域抽出部２１２は、当該読取画像データから低反射領域２１Ｋ2（図４（ａ））内の画像データを抽出する。これにより、図４（ｄ）に示す低反射領域画像データ２１ＫＤ2が抽出される。
【００３１】
［色特徴値抽出部２２］
色特徴値抽出部２２は、反射領域抽出部２１から、高反射領域２１Ｗ内の画像データ（高反射領域画像データ２１ＷＤ）および低反射領域２１Ｋ内の画像データ（低反射領域画像データ２１ＫＤ）を取得し、各領域画像データを構成する画素のデータから最高の明度値を抽出し、内蔵する記憶部に記憶させる処理部である。
色特徴値抽出部２２は、高反射明度最高値抽出部２２１と、低反射明度最高値抽出部２２２と、高反射明度最高値記憶部２２３と、低反射明度最高値記憶部２２４とを備える。
【００３２】
高反射明度最高値抽出部２２１は、高反射領域画像データ２１ＷＤから高反射領域２１Ｗ内の画素のデータをすべて抽出し、各画素の明度値を取得する。そして、高反射明度最高値抽出部２２１はは、その高反射領域２１Ｗ内で最高の明度値（高反射明度最高値）を、高反射明度最高値記憶部２２３に記憶させる。
低反射明度最高値抽出部２２２は、低反射領域画像データ２１ＫＤから低反射領域２１Ｋ内の画素のデータをすべて抽出し、各画素の明度値を取得する。そして、低反射明度最高値抽出部２２２は、その低反射領域２１Ｋ内で最高の明度値（低反射明度最高値）を、低反射明度最高値記憶部２２４に記憶させる。
【００３３】
（実施例）
ここで、図４（ｂ），図４（ｃ），図４（ｄ）を用いて、色特徴値抽出部２２が行う処理について説明する。
高反射明度最高値抽出部２２１は、まず、反射領域抽出部２１（高反射領域抽出部２１１）から高反射領域２１Ｗ2（図４（ｂ））内の高反射領域画像データ２１ＷＤ2を取得する。
ここで、この高反射領域画像データ２１ＷＤ2は、図４（ｃ）に示すように、図形Ｌ１および図形Ｌ２では「黒色」（細かいドットハッチング）、図形Ｌ４では「白色」（ハッチングなし）、図形Ｌ３では原稿２の裏面の黒色が透けて裏写りした「灰色」（粗いドットハッチング）の画像データである。
そして、高反射明度最高値抽出部２２１は、この高反射領域画像データ２１ＷＤ2から、図形Ｌ４の画素の「白色」の明度値（高反射明度最高値）を取得し、高反射明度最高値記憶部２２３に記憶させる。
【００３４】
一方、低反射明度最高値抽出部２２２は、まず、反射領域抽出部２１（低反射領域抽出部２１２）から低反射領域２１Ｋ2（図４（ｂ））内の低反射領域画像データ２１ＫＤ2を取得する。
ここで、この低反射領域画像データ２１ＫＤ2は、図４（ｄ）に示すように、図形Ｌ１および図形Ｌ２では「黒色」、図形Ｌ３では原稿２の裏面の黒色が透けて裏写りした「灰色」の画像データである。また、図形Ｌ４では背面部材１２の低反射部１２Ｋ2（黒色）が透けて裏写りした「灰色」の画像データである。
そして、低反射明度最高値抽出部２２２は、この画像データから、図形Ｌ３または図形Ｌ４の画素の「灰色」の明度値（低反射明度最高値）を取得し、低反射明度最高値記憶部２２４に記憶させる。
ここで、低反射Ｋの明度値が図形Ｌ３の明度値より低い場合には、低反射明度最高値抽出部２２２は、図形Ｌ３よりもさらに明度が低い図形Ｌ４の画素の「灰色」の明度値（低反射明度最高値）を取得する。
【００３５】
［高反射許容範囲記憶部２３］
高反射許容範囲記憶部２３は、高反射許容範囲データを記憶する記憶部である。
この高反射許容範囲データには、明度値の範囲がユーザにより予め設定されており、例えば、高反射領域２１Ｗにて、両面無地の原稿２の画素から抽出されうる明度最低値と明度最高値とが設定されており、原稿２が白色である場合、高反射許容範囲データには、「明度最低値＝２３５、明度最高値＝２５５」が設定されている。
【００３６】
［低反射許容範囲記憶部２４］
低反射許容範囲記憶部２４は、高反射明度基準値となりえる高反射許容範囲データの範囲内のすべての明度値（キー明度値）と、そのキー明度値に基づく低反射許容範囲データとを予め関連付けて記憶している記憶部である。
この低反射許容範囲データは、ユーザにより予め設定される。低反射許容範囲データには、両面無地の原稿２の明度値を高反射明度基準値としたときに、その原稿２から生成された読取画像データにて、低反射領域２１Ｋが裏写りしていると判定される明度の限界最低値が明度最低値として予め設定される。そして、明度最高値には、高反射明度基準値が設定される。
例えば、高反射明度基準値（キー明度値）＝２５０であるとき、低反射許容範囲データには「明度最低値＝２２０、明度最高値＝２５０」と設定され、また、高反射明度基準値（キー明度値）＝２３０であるとき、低反射許容範囲データには「明度最低値＝１８０、明度最高値＝２３０」と設定されている。
【００３７】
［明度基準値抽出部２５］
明度基準値抽出部２５は、高反射明度最高値記憶部２２３に記憶された高反射明度最高値と、低反射明度最高値記憶部２２４に記憶された低反射明度最高値と、後記する高反射許容範囲記憶部２３から高反射許容範囲データと、後記する低反射許容範囲記憶部２４から低反射許容範囲データとを取得し、それらのデータから補正値を取得し、その補正値を画像データ補正部１７に出力する処理部である。明度基準値抽出部２５は、高反射明度基準値抽出部２５１と、低反射明度基準値抽出部２５２とを備える。
【００３８】
高反射明度基準値抽出部２５１は、高反射許容範囲記憶部２３から高反射許容範囲データを取得し、高反射明度最高値記憶部２２３に記憶された高反射明度最高値群のうち、高反射許容範囲データで示される範囲内で明度値が最高の高反射明度最高値（高反射明度基準値）を抽出する。そして、高反射明度基準値抽出部２５１は、高反射明度基準値を低反射明度基準値抽出部２５２に出力する。
当該処理により、表面がすべて明度値が低い色で塗りつぶされている高反射領域２１Ｗ内で抽出された高反射明度最高値を、高反射許容範囲データを用いて除去することができる。
一方、高反射明度基準値抽出部２５１は、高反射許容範囲データで示される範囲内の最高の明度値（高反射明度基準値）を抽出できなかった場合、画像データ全域色特徴値抽出部２６に処理開始を指示する。
【００３９】
低反射明度基準値抽出部２５２は、高反射明度基準値抽出部２５１から高反射明度基準値を取得する。そして、低反射許容範囲記憶部２４から、高反射明度基準値と一致するキー明度値に基づく低反射許容範囲データを取得し、低反射明度最高値記憶部２２４に記憶された低反射明度最高値群のうち、低反射許容範囲データで示される範囲内で明度値が最低の低反射明度最高値（低反射明度基準値）を抽出する。そして、低反射明度基準値抽出部２５２は、高反射明度基準値と低反射明度基準値とを補正値として、画像データ補正部１７に出力する。
当該処理により、表面がすべて明度値が低い色で塗りつぶされている低反射領域２１Ｋ内で抽出された低反射明度最高値を、低反射許容範囲データを用いて除去することができる。また、明度値が最低の低反射明度最高値を抽出することで、裏写りする図形の色を抽出することができる。
一方、低反射明度基準値抽出部２５２は、低反射許容範囲データで示される範囲内の最高の明度値（低反射明度基準値）を抽出できなかった場合、画像データ全域色特徴値抽出部２６に処理開始を指示する。
【００４０】
［画像データ全域色特徴値抽出部２６］
画像データ全域色特徴値抽出部２６は、高反射明度基準値抽出部２５１または低反射明度基準値抽出部２５２から、処理開始の指示を取得してから処理を開始する。
処理開始の指示を取得した画像データ全域色特徴値抽出部２６は、反射領域抽出部２１が取得した読取画像データの識別子を用いて、画像データ記憶部１５からその識別子の読取画像データを取得し、読取画像データ内を構成する画素のデータから最高の明度値（全域明度最高値）を抽出する。そして、画像データ全域色特徴値抽出部２６は、全域明度最高値を補正値推定部２７に出力する。
【００４１】
［補正値推定部２７］
補正値推定部２７は、画像データ全域色特徴値抽出部２６から全域明度最高値を取得し、その全域明度最高値から低反射明度基準値を推定する処理部である。そして、全域明度最高値を高反射明度基準値とし、その高反射明度基準値と低反射明度基準値との双方を補正値とする。そして、補正値推定部２７は、その補正値を画像データ補正部１７に出力する。
ここで、補正値推定部２７は、全域明度最高値から所定の方法で低反射明度基準値を算出してもよい。例えば、低反射明度基準値を、全域明度最高値から所定値αを差分した値とする算出手段や、全域明度最高値の所定の割合（100％未満）の値とする算出手段がある。
【００４２】
また、補正値推定部２７は、前記低反射許容範囲記憶部２４のように、全域明度最高値となりえる明度値群（条件明度値群）と、その条件明度値に対応する一つの明度値とを予め記憶する条件記憶部２７１を有し、画像データ全域色特徴値抽出部２６から取得した全域明度最高値に基づき、条件記憶部２７１から条件明度値と一致する明度値（低反射明度基準値）を取得してもよい。
以上により、補正値推定部２７は、読取画像データで最も白い（明度値が最も高い）画素から、裏写り画像を除去するための補正値を推定する。
【００４３】
＜補正値取得部１６の補正値取得動作＞
次に、図６および図７を参照して、補正値取得部１６の補正値取得動作について説明する（適宜、図１ないし図５を参照）。
【００４４】
まず、補正値取得部１６が備える反射領域抽出部２１は、画像データ記憶部１５から読取画像データを取得する（ステップＳ１０１）。このとき、反射領域抽出部２１は、読取画像データの識別子も取得する。
そして、高反射領域抽出部２１１は、予め設定された高反射領域２１Ｗそれぞれの位置データを用いて、読取画像データから高反射領域画像データ２１ＷＤを抽出する（ステップＳ１０２）。
次に、高反射明度最高値抽出部２２１は、その高反射領域画像データ２１ＷＤから明度の最高値（高反射明度最高値）を抽出し（ステップＳ１０３）、抽出した高反射明度最高値を高反射明度最高値記憶部２２３に記憶させる（ステップＳ１０４）。
【００４５】
そして、高反射明度最高値抽出部２２１は、まだ抽出していない高反射領域画像データ２１ＷＤが他にあるか否かを判定する（ステップＳ１０５）。
まだ抽出していない高反射領域画像データ２１ＷＤがある場合（ステップＳ１０５，Ｙｅｓ）、ステップＳ１０２の処理を再度実行する。
【００４６】
一方、すべての高反射領域画像データ２１ＷＤを抽出した場合（ステップＳ１０５，Ｎｏ）、低反射領域抽出部２１２は、予め設定された低反射領域２１Ｋそれぞれの位置データを用いて、読取画像データから低反射領域画像データ２１ＫＤを抽出する（ステップＳ１０６）。
次に、低反射明度最高値抽出部２２２は、その低反射領域画像データ２１ＫＤから明度の最高値（低反射明度最高値）を抽出し（ステップＳ１０７）、抽出した低反射明度最高値を低反射明度最高値記憶部２２４に記憶させる（ステップＳ１０８）。
【００４７】
そして、低反射明度最高値抽出部２２２は、まだ抽出していない低反射領域画像データ２１ＫＤが他にあるか否かを判定する（ステップＳ１０９）。
まだ抽出していない低反射領域画像データ２１ＫＤがある場合（ステップＳ１０９，Ｙｅｓ）、ステップＳ１０６の処理を再度実行する。
【００４８】
一方、すべての低反射領域画像データ２１ＫＤを抽出した場合（ステップＳ１０９，Ｎｏ）、高反射明度基準値抽出部２５１は、高反射許容範囲記憶部２３から、高反射許容範囲値を取得する（ステップＳ１１０）。
そして、高反射明度基準値抽出部２５１は、高反射明度最高値記憶部２２３に記憶された高反射明度最高値において、高反射許容範囲内の高反射明度最高値はあるか否かを判定する（ステップＳ１１１，図７）。
高反射許容範囲内に高反射明度最高値がない場合（ステップＳ１１１，Ｎｏ）、後記するステップＳ１１７の処理を実行する。
【００４９】
一方、高反射許容範囲内の高反射明度最高値がある場合（ステップＳ１１１，Ｙｅｓ）、高反射明度基準値抽出部２５１は、高反射明度最高値記憶部２２３から、高反射許容範囲内で最高値の高反射明度最高値を抽出する（ステップＳ１１２）。このとき抽出した値を「高反射明度基準値」とする。そして、高反射明度基準値抽出部２５１は、この高反射明度基準値を低反射明度基準値抽出部２５２に出力する。
【００５０】
次に、低反射明度基準値抽出部２５２は、低反射許容範囲記憶部２４から、高反射明度基準値と一致するキー明度値に基づく低反射許容範囲値を取得する（ステップＳ１１３）。
そして、低反射明度基準値抽出部２５２は、低反射明度最高値記憶部２２４に低反射許容範囲内の低反射明度最高値があるか否かを判定する（ステップＳ１１４）。
【００５１】
低反射許容範囲内の低反射明度最高値がある場合（ステップＳ１１４，Ｙｅｓ）、低反射明度基準値抽出部２５２は、低反射許容範囲内で明度値が最低値の低反射明度最高値を抽出する（ステップＳ１１５）。このとき抽出した値を「低反射明度基準値」とする。
そして、低反射明度基準値抽出部２５２は、高反射明度基準値と低反射明度基準値との双方を補正値とし、画像データ補正部１７に出力（ステップＳ１１６）
【００５２】
一方、低反射許容範囲内に低反射明度最高値がない場合（ステップＳ１１４，Ｎｏ）、または、ステップＳ１１１における高反射許容範囲内に高反射明度最高値がない場合（ステップＳ１１１，Ｎｏ）、画像データ全域色特徴値抽出部２６は、ステップＳ１０１の処理で取得した識別子を用いて、画像データ記憶部１５からその識別子の読取画像データを取得する（ステップＳ１１７）。
画像データ全域色特徴値抽出部２６は、取得した読取画像データから明度の最高値（全域明度最高値）を抽出し（ステップＳ１１８）、全域明度最高値を補正値推定部２７に出力する。
【００５３】
補正値推定部２７は、取得した全域明度最高値に応じて、条件記憶部２７１に記憶された所定の方法を取得する。そして、補正値推定部２７は、その所定の方法と、全域明度最高値とを用いて、低反射明度基準値を推定する（ステップＳ１１９）。
そして、補正値推定部２７は、全域明度最高値を高反射明度基準値とし、その高反射明度基準値と低反射明度基準値との双方を補正値とする。そして、補正値推定部２７は、その補正値を画像データ補正部１７に出力する（ステップＳ１２０）。
【００５４】
以上の動作によって、補正値推定部２７は、原稿２の表面に裏写りする文字（低反射部１２Ｋ）の明度である低反射明度基準値と、表面と裏面との双方で文字がない原稿２の本来の明度である高反射明度基準値とを、画像データ補正部１７に出力する（ステップＳ１１６およびステップＳ１２０）。
そして、画像データ補正部１７は、低反射明度基準値以上の画素を抽出し、その画素の明度値を、高反射明度基準値に変更する。これにより、第１の実施形態の画像読取装置１は、表面の画像から裏写り画像を除去することができる。
【００５５】
＜第２の実施形態＞
第１の実施形態では、原稿２がモノクロ印刷されている場合を例として説明したが、第２の実施形態では、原稿２がカラー印刷されている場合について説明する。
第２の実施形態に係る画像読取装置１Ａは、特に、第１の実施形態に係る画像読取装置１が備える補正値取得部１６が、ＲＧＢ（Ｒ：赤、Ｇ：緑、Ｂ：青）信号成分で表現される読取画像データから裏写り画像を除去するための補正値を取得する機能を備えたものである。
以下、第２の実施形態に係る画像読取装置１Ａについて、適宜図面を参照しながら説明する。同様の部分には同一符号を付し、重複する説明を省略する。
【００５６】
図８に示すように第２の実施形態に係る画像読取装置１Ａは、原稿２を読み取ってデータ化する媒体読取部１３と、そのデータからＲＧＢ信号成分で表現される読取画像データを生成する画像データ生成部１４と、ＲＧＢ信号成分で表現される読取画像データを記憶する画像データ記憶部１５と、ＲＧＢ信号成分で表現される読取画像データから裏写り画像を除去するための補正値を取得する補正値取得部１６Ａと、その補正値で読取画像データを補正処理する画像データ補正部１７と、読取画像データを外部に出力する前に出力先に適したデータに変換する処理を行う画像データ出力部１８とを備える。
【００５７】
ここで、第２の実施形態に係る補正値取得部１６Ａについて説明する。
［補正値取得部１６Ａ］
補正値取得部１６Ａは、第１実施形態に係る補正値取得部１６が備える構成において、補正値取得部１６の代わりに、Ｒ補正値取得部１６１と、Ｇ補正値取得部１６２と、Ｂ補正値取得部１６３と、補正値決定部１６４とを備える。
以下に、Ｒ補正値取得部１６１とＧ補正値取得部１６２とＢ補正値取得部１６３とが行う処理について説明するが、第１の実施形態に係る補正値取得部１６が行う処理と重複する説明は省略し、補正値取得部１６が備える構成と同様の構成部には同一符号を付ける。
【００５８】
［Ｒ補正値取得部１６１］
Ｒ補正値取得部１６１は、まず、画像データ記憶部１５に記憶されたＲＧＢ信号成分で表現される読取画像データから、各画素がＲ（赤）の成分値のみで構成されるＲ読取画像データを取得し、そのＲ読取画像データから裏写り画像を除去するためのＲ補正値を取得する取得部である。そして、Ｒ補正値取得部１６１は、Ｒ補正値を補正値決定部１６４に出力する。
ここで、Ｒ補正値取得部１６１がＲ読取画像データを取得してから、Ｒ補正値を取得するまでの処理は、ＲＧＢで表現される明度値ではなく、Ｒのみの成分値（Ｒ成分値）であること以外は、第１の実施形態に係る補正値取得部１６が行う処理と重複するため、説明を省略する。
【００５９】
ここで、Ｒ補正値とは、低反射明度基準値抽出部２５２にて、Ｒ成分値のみから抽出される「高反射Ｒ成分基準値と低反射Ｒ成分基準値」、または、補正値推定部２７にて、Ｒ成分値のみから抽出される「全域Ｒ成分最高値と低反射Ｒ成分基準値」である。
【００６０】
ここで、Ｒ補正値取得部１６１が備える高反射許容範囲記憶部２３には、高反射Ｒ成分許容範囲データが記憶されている。
この高反射Ｒ成分許容範囲データには、Ｒ成分値の範囲がユーザにより予め設定されており、例えば、高反射領域２１Ｗにて、両面無地の原稿２の画素から抽出されうるＲ成分最低値とＲ成分最高値とが設定されており、原稿２が白色である場合、高反射Ｒ成分許容範囲データには、「Ｒ成分最低値＝２３５、Ｒ成分最高値＝２５５」が設定されている。
【００６１】
また、Ｒ補正値取得部１６１が備える低反射許容範囲記憶部２４には、高反射Ｒ成分基準値となりえる高反射Ｒ成分許容範囲データの範囲内のすべてのＲ成分値（キーＲ成分値）と、そのキーＲ成分値に基づく低反射Ｒ成分許容範囲データとを予め関連付けて記憶している。
この低反射Ｒ成分許容範囲データは、ユーザにより予め設定される。低反射Ｒ成分許容範囲データには、両面無地の原稿２のＲ成分値を高反射Ｒ成分基準値としたときに、その原稿２から生成された読取画像データにて、低反射領域２１Ｋが裏写りしていると判定されるＲ成分の限界最低値がＲ成分最低値として予め設定される。そして、Ｒ成分最高値には、高反射Ｒ成分基準値が設定される。
例えば、高反射Ｒ成分基準値（キーＲ成分値）＝２５５であるとき、低反射Ｒ成分許容範囲データには「Ｒ成分最低値＝２２０、Ｒ成分最高値＝２５５」と設定されている。
【００６２】
［Ｇ補正値取得部１６２］
Ｇ補正値取得部１６２は、各画素がＧ（緑）の成分値のみで構成されるＧ読取画像データを取得し、そのＧ読取画像データから裏写り画像を除去するためのＧ補正値を取得する取得部である。
Ｇ補正値取得部１６２は、Ｒ補正値取得部１６１と同様の処理をＧ読取画像データに対して行い、低反射明度基準値抽出部２５２にて、Ｇ成分値のみから抽出される「高反射Ｇ成分基準値と低反射Ｇ成分基準値」、または、補正値推定部２７にて、Ｇ成分値のみから抽出される「全域Ｇ成分最高値と低反射Ｇ成分基準値」をＧ補正値として取得する。
そして、Ｇ補正値取得部１６２は、Ｇ補正値を補正値決定部１６４に出力する。
【００６３】
［Ｂ補正値取得部１６３］
Ｂ補正値取得部１６３は、各画素がＢ（青）の成分値のみで構成されるＢ読取画像データを取得し、そのＢ読取画像データから裏写り画像を除去するためのＢ補正値を取得する取得部である。
Ｂ補正値取得部１６３は、Ｒ補正値取得部１６１と同様の処理をＢ読取画像データに対して行い、低反射明度基準値抽出部２５２にて、Ｂ成分値のみから抽出される「高反射Ｂ成分基準値と低反射Ｂ成分基準値」、または、補正値推定部２７にて、Ｂ成分値のみから抽出される「全域Ｂ成分最高値と低反射Ｂ成分基準値」をＢ補正値として取得する。
そして、Ｂ補正値取得部１６３は、Ｂ補正値を補正値決定部１６４に出力する。
【００６４】
［補正値決定部１６４］
補正値決定部１６４は、Ｒ補正値取得部１６１、Ｇ補正値取得部１６２、Ｂ補正値取得部１６３それぞれから、Ｒ補正値とＧ補正値とＢ補正値とを取得して、補正値（高反射明度基準値と低反射明度基準値）を決定する構成部である。そして、補正値決定部１６４は、補正値を画像データ補正部１７に出力する。
【００６５】
補正値決定部１６４は、Ｒ補正値の高反射Ｒ成分基準値と、Ｇ補正値の高反射Ｇ成分基準値と、Ｂ補正値の高反射Ｂ成分基準値との３つの成分値を組み合わせて、一つの明度値とした高反射明度基準値を取得する。
また、補正値決定部１６４は、Ｒ補正値の低反射Ｒ成分明度基準値と、Ｇ補正値の低反射Ｇ成分基準値と、Ｂ補正値の低反射Ｂ成分基準値との３つの成分値を組み合わせて、一つの明度値とした低反射明度基準値を取得する。
そして、補正値決定部１６４は、取得した高反射明度基準値と、低反射明度基準値とを補正値として、画像データ補正部１７に出力する。
【００６６】
＜補正値取得部１６Ａの補正値取得動作＞
次に、図９を参照して、補正値取得部１６Ａの補正値取得動作について説明する（適宜、図１ないし図８を参照）。
【００６７】
まず、補正値取得部１６Ａが備えるＲ補正値取得部１６１は、画像データ記憶部１５からＲ読取画像データを取得する（ステップＳ２０１）。このとき、反射領域抽出部２１は、読取画像データの識別子も取得する。
次に、Ｒ補正値取得部１６１は、ステップＳ１０２〜ステップＳ１１５およびステップＳ１１７〜ステップＳ１１９（図６および図７）に示す補正値取得処理を行い、高反射Ｒ成分基準値と低反射Ｒ成分基準値との双方を取得する（ステップＳ２０２）。
そして、Ｒ補正値取得部１６１は、取得した高反射Ｒ成分基準値と低反射Ｒ成分基準値との双方をＲ補正値とし、補正値決定部１６４に出力する（ステップＳ２０３）。
【００６８】
補正値取得部１６Ａが備えるＧ補正値取得部１６２およびＢ補正値取得部１６３も、Ｒ補正値取得部１６１と同様に、ステップＳ２０１〜ステップＳ２０３に示す処理を実行する。
Ｇ補正値取得部１６２は、画像データ記憶部１５からＧ読取画像データを取得し（ステップＳ２０４）、補正値取得処理を行い、高反射Ｇ成分明度基準値と低反射Ｇ成分基準値との双方を取得し（ステップＳ２０５）、Ｇ補正値（高反射Ｇ成分基準値と低反射Ｇ成分基準値）を補正値決定部１６４に出力する（ステップＳ２０６）。
一方、Ｂ補正値取得部１６３は、画像データ記憶部１５からＢ読取画像データを取得し（ステップＳ２０７）、補正値取得処理を行い、高反射Ｂ成分基準値と低反射Ｂ成分基準値との双方を取得（ステップＳ２０８）し、Ｂ補正値（高反射Ｂ成分基準値と低反射Ｂ成分基準値）を補正値決定部１６４に出力する（ステップＳ２０９）。
【００６９】
これにより、補正値決定部１６４は、Ｒ補正値取得部１６１からＲ補正値（高反射Ｒ成分基準値と低反射Ｒ成分明度基準値）と、Ｇ補正値取得部１６２からＧ補正値（高反射Ｇ成分明度基準値と低反射Ｇ成分明度基準値）と、Ｂ補正値取得部１６３からＢ補正値（高反射Ｂ成分明度基準値と低反射Ｂ成分基準値）とを取得する。
【００７０】
そして、補正値決定部１６４は、Ｒ補正値の高反射明度基準値と、Ｇ補正値の高反射明度基準値と、Ｂ補正値の高反射明度基準値との３つの成分値を組み合わせて、高反射明度基準値を取得する（ステップＳ２１０）。
さらに、補正値決定部１６４は、Ｒ補正値の低反射明度基準値と、Ｇ補正値の低反射明度基準値と、Ｂ補正値の低反射明度基準値との３つの成分値を組み合わせて、低反射明度基準値を取得する（ステップＳ２１１）。
そして、補正値決定部１６４は、高反射明度基準値と、低反射明度基準値との双方を補正値とし、画像データ補正部１７に出力する（ステップＳ２１２）。
【００７１】
以上の動作によって補正値決定部１６４が出力した補正値（高反射明度基準値と低反射明度基準値）を用いて、画像データ補正部１７は、低反射明度基準値以上の画素を抽出し、その画素の明度値を、高反射明度基準値に変更する。これにより、低反射実施形態の画像読取装置１Ａは、原稿２がカラー印刷されたものであっても、表面の画像から裏写り画像を除去することができる。
【００７２】
以上、本発明の実施形態について説明したが、本発明は前記した実施形態に限定されず、適宜変更して実施することが可能である。
例えば、画像読取装置１（１Ａ）は、束にした原稿２が載置される媒体束載置トレイを備え、その原稿２を内部に取り込み（搬送し）、原稿２を搬送しながら媒体読取部１３が読み取る構成である場合について説明する。
図１０に示すように、媒体読取部１３の読み取り面が、原稿２を内部に搬送するローラ１２１と対面して設置されている場合、ローラ１２１の曲面を背面部材１２としてもよい。このとき、例えば、高反射部１２Ｗと低反射部１２Ｋとは、ローラ１２１の曲面にて、ローラ１２１の円周方向に帯状に形成される。
また、図１１に示すように、媒体読取部１３の読み取り面と対面する天板１２２を背面部材１２としてもよい。このとき、例えば、高反射部１２Ｗと低反射部１２Ｋとは、天板１２２にて、原稿２が搬送される方向に帯状に形成される。
図１０および図１１に示すように、原稿２は、背面部材１２で完全に覆われている必要はなく、媒体読取部１３が原稿２の表面の一部を読み取るときに、その読み取られる部分の裏面が背面部材１２に位置していればよい。また、背面部材１２の低反射部１２Ｋが背景となる媒体２の表面の領域にて裏写り画像を作り出すことができる程度に、原稿２と背面部材１２とが接していればよい。
【００７３】
また、画像読取装置１（１Ａ）は、原稿２の厚みを測定する装置や、ユーザにより原稿２の厚みが入力される操作入力部など、原稿２の肉厚値を取得する手段を備えてもよい。そして、補正値取得部１６（１６Ａ）は、肉厚値を考慮した低反射明度基準値を抽出する構成であっても構わない。
例えば、低反射明度基準値抽出部２５２は、低反射許容範囲記憶部２４から低反射許容範囲データを取得するときに、高反射明度基準値抽出部２５１から取得した高反射明度基準値に肉厚値を考慮した明度値を取得し、その明度値と一致するキー明度値に基づく低反射許容範囲データを取得する。例えば、肉厚値が所定の値より厚ければ、裏写りしにくいため、低反射明度基準値抽出部２５２は、通常取得するときより明度値が高い低反射許容範囲データを取得する。一方、肉厚値が所定の値より薄ければ、裏写りしやすいため、低反射明度基準値抽出部２５２は、通常取得するときより明度値が低い低反射許容範囲データを取得する。
【符号の説明】
【００７４】
１５    画像データ記憶部
１６    補正値取得部
１７    画像データ補正部
１９    読取部
２１    反射領域抽出部
２２    色特徴値抽出部
２３    高反射許容範囲記憶部
２４    低反射許容範囲記憶部
２５    明度基準値抽出部
２６    画像データ全域色特徴値抽出部
２７    補正値推定部
２８    特徴抽出部
２１１  高反射領域抽出部
２１２  低反射領域抽出部
２２１  高反射明度最高値抽出部
２２２  低反射明度最高値抽出部
２２３  高反射明度最高値記憶部
２２４  低反射明度最高値記憶部
２５１  高反射明度基準値抽出部
２５２  低反射明度基準値抽出部
２７１  条件記憶部
【図２】
2011119955.tif 000003
【図５】
2011119955.tif 000004
【図６】
2011119955.tif 000005
【図７】
2011119955.tif 000006
【図８】
2011119955.tif 000007
【図９】
2011119955.tif 000008
【図１】
2011119955.tif 000009
【図３】
2011119955.tif 000010
【図４】
2011119955.tif 000011
【図１０】
2011119955.tif 000012
【図１１】
2011119955.tif 000013